(57)【要約】【課題】低コスト化を図ることができるホースリールを提供する。【解決手段】散水用ホース４１を巻き取るドラム１２を、上下方向に延在する胴部４２と胴部４２の下部に設けられた下鍔部４３と胴部４２の上部に設けられた上鍔部４４とで構成する。上鍔部４４の外形寸法９１を下鍔部４３の外形寸法９２より小さく設定する。前記下鍔部４３に対向する前記上鍔部４４の対向面９３を、胴部４２から外縁へ向かうに従って上方へ傾斜する傾斜面で構成する。【選択図】図４
2008120528.tif 000002
【特許請求の範囲】
【請求項１】
ホースを巻き取るドラムが上下方向に延在する軸部と該軸部の下部に設けられた下鍔部と前記軸部の上部に設けられた上鍔部とからなるホースリールにおいて、
前記上鍔部の外形寸法を前記下鍔部の外形寸法より小さく設定するとともに、前記下鍔部に対向する前記上鍔部の対向面を前記軸部から外縁へ向かうに従って上方へ傾斜する傾斜面で構成したことを特徴とするホースリール。
【請求項２】
前記対向面を、その全面に渡って前記ホースの下方若しくは側方への移動を妨げないような水平より上向き形状としたことを特徴とした請求項１記載のホースリール。
【請求項３】
前記ドラムの上方に配置され、少なくとも前記上鍔部よりも外方へ延出するカバー部材を備えたことを特徴とする請求項１又は２記載のホースリール。
【請求項４】
前記カバー部材が前記ドラムの外周を覆うものであることを特徴とした請求項３記載のホースリール。
【発明の詳細な説明】
【技術分野】
【０００１】
本発明は、ホースを巻き取るホースリールに関する。
【背景技術】
【０００２】
従来、ホースを巻き取るホースリールが知られている（例えば、特許文献１参照。）。
【０００３】
このホースリールは、ホースを巻き取るドラムを備えている。このドラムは、支持台に支持された軸部が垂直に起立するように構成されている。
【特許文献１】特開平１１−２４６１２２号公報
【発明の開示】
【発明が解決しようとする課題】
【０００４】
しかしながら、このような構造にあっては、ドラムの軸部と上鍔部とがほぼ直角に構成されるとともに、前記ドラムの上鍔部の直径と下鍔部を構成する支持台の直径が同じ寸法に設定されている。
【０００５】
このため、ホースが詰まりやすく、また、部材コストも高くなるという問題があった。
【０００６】
本発明は、このような従来の課題に鑑みてなされたものであり、巻き取り抵抗の低減と低コスト化を図ることができるホースリールを提供することを目的とするものである。
【課題を解決するための手段】
【０００７】
前記課題を解決するために本発明のホースリールにあっては、ホースを巻き取るドラムが上下方向に延在する軸部と該軸部の下部に設けられた下鍔部と前記軸部の上部に設けられた上鍔部とからなるホースリールにおいて、前記上鍔部の外形寸法を前記下鍔部の外形寸法より小さく設定するとともに、前記下鍔部に対向する前記上鍔部の対向面を前記軸部から外縁へ向かうに従って上方へ傾斜する傾斜面で構成した。
【０００８】
すなわち、前記ホースを前記ドラムに巻き取る際に巻き取られるホースは、前記軸部の前記下鍔部側から順に巻と取られる。
【０００９】
このため、前記軸部に巻き取られるホースの巻取量は、前記下鍔部側で多く、前記上鍔部側へ行くに従って少なくなり、前記軸部に巻かれた状態では、その外形寸法が上側へ向かうに従って小さくなる山形となる。
【００１０】
このとき、前記上鍔部の外形寸法は、前記下鍔部の外形寸法より小さく設定されており、前記上鍔部側へ向かうに従って外形寸法が小さくなる巻取状態のホースは、その上部が前記上鍔部によって保持される。
【００１１】
一方、巻取過程において、前記軸部に巻き取られたホースが前記上鍔部に達した際には、当該ホースは、前記下鍔部に対向した当該上鍔部の対向面に接する。
【００１２】
このとき、前記上鍔部の前記対向面は、前記軸部から外縁へ向かうに従って上方へ傾斜する傾斜面で構成されている。このため、この傾斜面に当接した前記ホースは、外側へ案内される。
【００１３】
また、請求項２のホースリールにおいては、前記対向面を、その全面に渡って前記ホースの下方若しくは側方への移動を妨げないような水平より上向き形状とした。
【００１４】
すなわち、前記上鍔部の周縁に例えばフランジ部が形成され、前記対向面に水平より下向きに突出する形状が形成された場合、ホースが、この部位に接触し、巻き取り抵抗が大きくなってしまう。
【００１５】
このため、前記対向面を、その全面に渡って前記ホースの下方若しくは側方への移動を妨げないような水平より上向き形状とすることで、前記ホースの巻き取り抵抗を小さくすることができる。
【００１６】
さらに、請求項３のホースリールでは、前記ドラムの上方に配置され、少なくとも前記上鍔部よりも外方へ延出するカバー部材を備えている。
【００１７】
これにより、巻き取られたホースが上鍔部よりも上方へ飛び出すのを防ぐことができる。
【００１８】
加えて、請求項４のホースリールにあっては、前記カバー部材が前記ドラムの外周を覆うものである。
【００１９】
これにより、上方だけでなく、側方へのホースの転落も防止できる。
【発明の効果】
【００２０】
以上説明したように、巻き取られたホースが下側寄りとなり、ホースの巻取形状の外形寸法が上側へ向かうに従って小さくなる本発明のホースリールにあっては、前記ドラムの上鍔部の外形寸法を下鍔部の外形寸法より小さく設定することで、前記上鍔部を必要な部分だけに形成することができる。
【００２１】
このため、ドラムの下鍔部の直径と上鍔部の直径とが同じ寸法に設定された従来と比較して、部材コストを抑えることができる。これにより、低コスト化を図ることができる。
【００２２】
また、ホースリールの軽量化も図ることができる。
【００２３】
そして、前記下鍔部に対向する前記上鍔部の対向面を、前記軸部から外縁へ向かうに従って上方へ傾斜する傾斜面で構成したため、巻き取られたホースが前記上鍔部に達し前記対向面に接した際に、当該ホースを外側へ逃がすことができる。
【００２４】
これにより、ホースの詰まりを防止し、巻き取り抵抗を低減させることができるという効果を得ることができる。
【００２５】
また、請求項２のホースリールにおいては、前記対向面を、その全面に渡って前記ホースの下方若しくは側方への移動を妨げないような水平より上向き形状とすることで、前記ホースの巻き取り抵抗を小さくすることができる。
【００２６】
さらに、請求項３のホースリールでは、前記ドラムの上方には少なくとも前記上鍔部よりも外方へ延出するカバー部材が設けられている。
【００２７】
このため、巻き取られたホースが上鍔部よりも上方へ飛び出すのを防ぐことができる。
【００２８】
加えて、請求項４のホースリールにあっては、前記カバー部材が前記ドラムの外周を覆うため、上方だけでなく、側方へのホースの転落も防止できる。
【発明を実施するための最良の形態】
【００２９】
以下、本発明の一実施の形態を図に従って説明する。図１から図３は、本実施の形態にかかるホースリール１を示す図であり、該ホースリール１は、ホースを引き出し自在に巻き取るものである。
【００３０】
このホースリール１は、図４にも示すように、下部を構成するホースリール本体１１と、該ホースリール本体１１に回動自在に支持されたドラム１２と、該ドラム１２を覆うカバー部材としてのカバー１３とを備えている。
【００３１】
前記ホースリール本体１１は、円筒状に形成された側壁部２１と、該側壁部２１の上部開口部を覆う上面部２２とからなり、該上面部２２には、円筒状の中壁部２３と、円筒状の内壁部２４とが中心方向へ順に形成されている。前記側壁部２１と前記中壁部２３との間、及び該中壁部２３と前記内壁部２４との間には、半径方向に延在する連結リブ２５，・・・が形成されており、各連結リブ２５，・・・は、前記上面部２２に一体形成されている。
【００３２】
前記上面部２２の中央には、上方へ膨出した円形膨出部３１が形成されており、該円形膨出部３１の中央に設けられた取付穴３２には、ホースを接続する為のエルボ３３が挿入された状態で固定されている。
【００３３】
前記側壁部２１の下縁と前記中壁部２３の下縁と前記内壁部２４の下縁とには、図外のホース挿通部が切欠されており、蛇口に接続された接続用ホースを各切欠部を挿通して前記エルボ３３に接続できるように構成されている。
【００３４】
前記ドラム１２は、散水用ホース４１が巻かれる円筒形状の軸部としての胴部４２と、該胴部４２の下端部より側方に延出した下鍔部４３と、前記胴部４２の上端部より側方に延出した上鍔部４４とによって構成されており、当該ドラム１２は、その回転軸４５を上下方向に延在させた状態で前記ホースリール本体１１に回動自在に支持されている。
【００３５】
すなわち、前記ドラム１２は、図５に示すように、下部構成部材５１と上部構成部材５２とによって構成されている。前記下部構成部材５１は、円板状に形成されており、その周縁は、上方へ向けて起立した起立部５３が形成されている。これにより、当該下部構成部材５１が形成する前記ドラム１２の前記下鍔部４３の周縁には、上方へ向けて突出した起立部５３が全周に渡って形成されており、前記胴部４２に巻かれた散水用ホース４１が当該下鍔部４３の周縁に達した際に、前記散水用ホース４１を前記胴部４２側へ戻し、前記散水用ホース４１を当該ドラム１２内に保持できるように構成されている。
【００３６】
前記下部構成部材５１の中央部には、上方へ膨出した円形のボス部６１が形成されている。該ボス部６１周縁内側には、円筒状の取付部６２が突設されており、その中央部には、取付穴６３が設けられている。該取付穴６３には、図４にも示したように、前記エルボ３３に接続されるジョイント６４が挿入されるように構成されており、該ジョイント６４は、そのフランジ部６５が前記ボス部６１に形成されたネジ部６６，６６に螺入されるネジで固定されるように構成されている。また、前記ボス部６１には、前記取付部６２の外周部に固定用のネジ挿通穴６７，６７が設けられている。
【００３７】
前記上部構成部材５２は、図４及び図５に示したように、円筒状に形成された前記胴部４２と、該胴部４２の上端部に一体形成された前記上鍔部４４とによって構成されている。
【００３８】
前記胴部４２の下部側面には、前記下部構成部材５１の前記ボス部６１に対面する袋ナット部７１，７１が複数箇所に設けられており、各袋ナット部７１，７１は、前記ボス部６１に設けられた前記ネジ挿通穴６７，６７と合致する位置に設けられている。これにより、前記袋ナット部７１，７１を前記ボス部６１に対面させた状態で、前記ネジ層通穴６７，６７に挿通したネジを当該袋ナット部７１，７１に螺入することで、前記下部構成部材５１を前記上部構成部材５２に固定できるように構成されている。
【００３９】
この固定状態において、前記下部構成部材５１の前記ボス部６１に固定された前記ジョイント６４が前記胴部４２内に延出するように構成されており、このジョイント６４には、前記散水用ホース４１に設けられた接続部８１が着脱自在に接続されるように構成されている。この散水用ホース４１は、前記胴部４２の上部に設けられた図外の連通穴を介して当該胴部４２の外側に延出され、当該胴部４２に巻き付けられるように構成されている（図４参照）。
【００４０】
この胴部４２の上端部に設けられた前記上鍔部４４は、図５に示したように、平面視円形状に形成されており、当該上鍔部４４の外形寸法９１は、前記下鍔部４３の外形寸法９２より小さく設定されている。前記下鍔部４３に対向する前記上鍔部４４の対向面９３は、前記胴部４２から外縁へ向かうに従って上方へ傾斜する傾斜面で構成されており、この対向面９３の中途部には、円筒リブ９４が突設され、その先端が当該上鍔部４４の先端より上方へ突出するように構成されている。
【００４１】
この上鍔部４４の裏側に突出した前記胴部４２の上方突出部１０１は、閉鎖面１０２で閉鎖されており、該閉鎖面１０２の中央部には、平面視矩形状の矩形凹部１０３が形成されている。また、前記閉鎖面１０２には、袋ナット部１０４，・・・が等間隔をおいた三カ所に設けられており、各袋ナット部１０４，・・・は、前記矩形凹部１０３の外周部に設けられている。
【００４２】
前記カバー１３は、図４に示したように、前記ドラム１２の外周部を覆う側壁面１１１と、該側壁面１１１の上端に設けられた天面１１２とによって下方に開口した容器状に形成されている。このカバー１３は、前記側壁面１１１と前記ドラム１２の前記下鍔部４３間の間隙寸法１１２が前記散水用ホース４１の外形寸法１１３未満となるように設定されており、前記下鍔部４３と前記カバー１３の前記側壁面１１１との間に形成された間隙への前記散水用ホース４１の挟み込みを防止できるように構成されている。
【００４３】
また、前記天面１１２の中央部には、下方へ突出した円筒状の下方円筒部１２１が一体形成されており、該下方円筒部１２１の下縁には、内側へ延出する内側延出部１２２が形成されている。該内側延出部１２２には、前記ドラム１２に形成された前記胴部４２の上方突出部１０１に遊嵌する遊嵌穴１２３が形成されている。
【００４４】
この状態において、当該カバー１３は、前記天面１１２が前記前記上鍔部４４に形成された前記円筒リブ９４に回動自在に支持されるように構成されており、前記側壁面１１１は、その下端部が前記ホースリール本体１１に回動自在に外嵌するように構成されている。
【００４５】
これにより、前記カバー１３は、前記ドラム１２における前記胴部４２の上側のみで支持されており、当該カバー１３は、前記ホースリール本体１１に回動自在に支持されている。
【００４６】
このカバー１３の前記側壁面１１１には、左右に突出する取っ手１３１，１３１が形成されており、当該取っ手１３１，１３１を把持して持ち上げることによって、当該ホースリール１を持ち上げられるように構成されている。
【００４７】
すなわち、前記カバー１３の外周には、図６及び図８に示すように、凹部１３２，１３２が二箇所に設けられており、各凹部１３２，１３２には、図８に示すように、湾曲形状の取っ手構成部材１３３が前記側壁面１１１に沿って嵌め込まれた状態で図外のネジで取り付けられている。
【００４８】
この取っ手構成部材１３３の上縁部には、三カ所に爪１３３ａ，・・・が形成されており、この爪１３３ａ，・・・が対向する前記各凹部１３２，１３２には、図７に示したように、三カ所に開口部１３２ａ，・・・が設けられている。
【００４９】
これにより、前記取っ手構成部材１３３を前記凹部１３２に取り付けた際には、前記取っ手構成部材１３３の前記爪１３３ａ，・・・が前記凹部１３２の前記開口部１３２ａ，・・・に係合するように構成されている。
【００５０】
また、前記カバー１３の前記側壁面１１１には、図１及び図２に示したように、前記ドラム１２に巻き取られる前記散水用ホース４１が挿通する開口部１４１が開設されている。
【００５１】
すなわち、前記カバー１３の外周には、図６及び図９に示したように、凹部としての取付穴１３５が前記各凹部１３２，１３２の間に設けられており、該取付穴１３５には、図１０に示すように、前記開口部１４１を備えた開口部材１３６が前記側壁面１１１に沿って嵌め込まれた状態で図外のネジで取り付けられている。
【００５２】
これにより、前記取っ手１３１，１３１及び前記開口部１４１を前記カバー１３に一体形成する場合と比べて、形状の自由度が高まり（金型の制約がなくなるため）、かつ、前記取っ手１３１，１３１及び前記開口部１４１に機能的な形状を付加することも可能となる。
【００５３】
また、外方から前記凹部１３２，１３２又は前記取付穴１３５に組み付ける（嵌合＋ネジ止めによる）ことによって、前記カバー１３との組み付けが容易であるとともに、前記カバー１３と強固に一体化され、強度も高まる。
【００５４】
そして、前記開口部材１３６の下縁部には、三カ所に爪１３６ａ，・・・が形成されており、この爪１３６ａ，・・・が対向する前記取付穴１３５の下部には、図９に示したように、三カ所に開口部１３５ａ，・・・が設けられている。
【００５５】
これにより、前記開口部材１３６を前記取付穴１３５に取り付けた際には、前記開口部材１３６の前記爪１３６ａ，・・・が前記前記取付穴１３５下部の前記開口部１３５ａ，・・・に係合するように構成されている。
【００５６】
そして、前記開口部１４１は、台形状に形成されており、略水平に延設された下縁部１４２と、該下縁部１４２の左端より起立した左縁部１４３と、前記下縁部１４２の右端より起立した右縁部１４４と、前記左縁部１４３及び右縁部１４４の上端を連設する直線状の上縁部１４５とによって包囲されている。
【００５７】
前記左縁部１４３は、前記下縁部１４２から上方へ向かうに従って左方へ向けて傾斜しており、前記右縁部１４４は、前記下縁部１４２から上方へ向かうに従って右方へ向けて傾斜している。これにより、前記開口部１４１は、下方から上方へ向かうに従って、その横幅寸法が広くなるように構成されている。
【００５８】
そして、図４に示したように、前記カバー１３の前記下方円筒部１２１内に突出した前記ドラム１２の前記上方突出部１０１には、回転操作部１５１が固定されている。
【００５９】
この回転操作部１５１は、前記カバー１３に対して相対的に回転する板状の部材で構成されており、その中央部には、円形没入部１６１が形成されている。該円形没入部１６１は、その底面１６２が前記上方突出部１０１の前記閉鎖面１０２に対面するように構成されており、この底面１６２の中央部には、前記上方突出部１０１の前記閉鎖面１０２に形成された矩形凹部１０３に嵌入される矩形凸部１６３が下方へ向けて突設されている。
【００６０】
これにより、当該回転操作部１５１は、前記円形没入部１６１の前記底面１６２を挿通したネジが前記閉鎖面１０２に形成された前記袋ナット部１０４に螺入された状態で、前記ドラム１２に固定されるように構成されており、前記円形没入部１６１は、キャップ１７１で閉鎖されるように構成されている。
【００６１】
前記回転操作部１５１の周縁部には、上方に突出したハンドル１８１が設けられている。該ハンドル１８１は、前記回転操作部１５１に突設された操作軸１８２と、該操作軸１８２に回転自在に支持されたグリップ１８３とで構成されている。これにより、このハンドル１８１の前記グリップ１８３を握って当該回転操作部１５１を回動することにより、当該ホースリール１内の前記ドラム１２を前記回転軸４５を中心に回動できるように構成されている。
【００６２】
以上の構成にかかる本実施の形態において、前記散水用ホース４１を前記ドラム１２に巻き取る際に巻き取られる散水用ホース４１は、前記胴部４２の前記下鍔部４３側から順に巻と取られる。
【００６３】
このため、前記胴部４２に巻き取られる前記散水用ホース４１の巻取量は、前記下鍔部４３側で多く、前記上鍔部４４側へ行くに従って少なくなり、前記胴部４２に巻かれた状態では、その外形寸法が上側へ向かうに従って小さくなる山形となる。
【００６４】
このとき、前記上鍔部４４の外形寸法９１は、前記下鍔部４３の外形寸法９２より小さく設定されており、前記上鍔部４４側へ向かうに従って外形寸法が小さくなる巻取状態の散水用ホース４１は、その上部が前記上鍔部４４によって保持される。
【００６５】
このように、巻き取られた散水用ホース４１が下側寄りとなり、当該散水用ホース４１の巻取形状の外形寸法が上側へ向かうに従って小さくなる本実施の形態の水平回転式のホースリール１にあっては、前記ドラム１２の前記上鍔部４４の外形寸法９１を前記下鍔部４３の外形寸法９２より小さく設定することで、前記上鍔部４４を必要な部分だけに形成することができる。
【００６６】
このため、ドラム１２の下鍔部４３の直径と上鍔部４４の直径とが同じ寸法に設定された従来と比較して、部材コストを抑えることができる。これにより、低コスト化を図ることができる。
【００６７】
また、ホースリール１の軽量化も図ることができる。
【００６８】
一方、巻取過程において、前記胴部４２に巻き取られた散水用ホース４１が前記上鍔部４４に達した際には、当該散水用ホース４１は、前記下鍔部４３に対向した当該上鍔部４４の対向面９３に接する。
【００６９】
このとき、前記上鍔部４４の前記対向面９３は、前記胴部４２から外縁へ向かうに従って上方へ傾斜する傾斜面で構成されている。このため、この傾斜面に当接した前記散水用ホース４１は、外側へ案内される。
【００７０】
そして、前記下鍔部４３に対向する前記上鍔部４４の前記対向面９３を、前記胴部４２から外縁へ向かうに従って上方へ傾斜する傾斜面で構成したため、巻き取られた散水用ホース４１が前記上鍔部４４に達し、前記対向面９３に接した際に、当該散水用ホース４１を外側へ逃がすことができる。
【００７１】
これにより、散水用ホース４１の詰まりを防止し、巻き取り抵抗を低減させることができるという効果を得ることができる。
【００７２】
また、前記ドラム１２の前記対向面９３は、その全面に渡って前記散水用ホース４１の下方若しくは側方への移動を妨げない水平より上向き形状とした。
【００７３】
ここで、前記上鍔部４４の周縁に例えばフランジ部が形成され、前記対向面９３に水平より下向きに突出する形状が形成された場合、前記散水用ホース４１が、このフランジ部に接触し、巻き取り抵抗が大きくなってしまう。
【００７４】
このため、本実施の形態のように、前記対向面９３を、その全面に渡って水平より上向き形状とすることで、前記散水用ホース４１の巻き取り抵抗を小さくすることができる。
【００７５】
さらに、前記ドラム１２の上方には、少なくとも前記上鍔部４４よりも外方へ延出するカバー１３が設けられている。
【００７６】
これにより、巻き取られた散水用ホース４１が前記上鍔部４４よりも上方へ飛び出すのを防ぐことができる。
【００７７】
加えて、前記カバー１３が前記ドラム１２の外周を覆うため、上方だけでなく、側方への前記散水用ホース４１の転落も防止できる。
【図面の簡単な説明】
【００７８】
【図１】本発明の一実施の形態を示す斜視図である。
【図２】同実施の形態の側面図である。
【図３】同実施の形態の平面図である。
【図４】図３のＡ−Ａ線に沿った断面図である。
【図５】同実施の形態のドラムの説明図である。
【図６】同実施の形態のカバーを示す平面図である。
【図７】同実施の形態のカバーを示す側面図である。
【図８】同実施の形態の取っ手構成部材を示す図で、（ａ）は平面図であり、（ｂ）は側面図である。
【図９】同実施の形態のカバーを示す他の側面図である。
【図１０】同実施の形態の開口部材を示す図で、（ａ）は平面図であり、（ｂ）は側面図である。
【符号の説明】
【００７９】
１    ホースリール
１１    ホースリール本体
１２    ドラム
１３    カバー
４１    散水用ホース
４２    胴部
４３    下鍔部
４４    上鍔部
９３    対向面
【図１】
2008120528.tif 000003
【図２】
2008120528.tif 000004
【図３】
2008120528.tif 000005
【図４】
2008120528.tif 000006
【図５】
2008120528.tif 000007
【図６】
2008120528.tif 000008
【図７】
2008120528.tif 000009
【図８】
2008120528.tif 000010
【図９】
2008120528.tif 000011
【図１０】
2008120528.tif 000012